(57)【特許請求の範囲】
【請求項１】
交流電源を整流する整流回路と、整流回路の出力電圧を電圧変換するとともに出力電圧が可変である第１のコンバータと、第１のコンバータの出力を電源とし放電灯への供給電力が可変である第２のコンバータと、第１のコンバータの出力電圧および第２のコンバータから放電灯への供給電力を制御する制御回路とからなり、前記制御回路では、放電灯の光出力を所望値まで低下させるように調光する際に、第１のコンバータの出力電圧を変化させずに放電灯からの光出力が所望値になるように第２のコンバータから放電灯への供給電力を低下させた後、放電灯の点灯状態が安定してから、放電灯からの光出力を前記所望値に保つように第１のコンバータの出力電圧を低下させるのに伴って第２のコンバータから放電灯への供給電力を上昇させることを特徴とする放電灯点灯装置。
【請求項２】
前記第１のコンバータが入力力率を改善する機能を有し、前記制御回路では、第１のコンバータの出力電圧の下限を入力力率が規定の水準以上に維持できる電圧とし、第１のコンバータの出力電圧が前記下限以上である間は第１のコンバータの出力電圧で調光し、第１のコンバータの出力電圧が前記下限になる状態よりも深く調光するときは第２のコンバータから放電灯への供給電力を低下させることを特徴とする請求項１記載の放電灯点灯装置。
【請求項３】
前記制御回路では、調光に際して第１のコンバータの出力電圧を変化させずに放電灯からの光出力が所望値になるように第２のコンバータから放電灯への供給電力を低下させるのに先だって、第２のコンバータから放電灯への供給電力を変化させずに第１のコンバータの出力電圧を調光前よりも高く設定することを特徴とする請求項１記載の放電灯点灯装置。
【請求項４】
前記制御回路では、調光に際して調光の深さが所定値を超えるときには、第１のコンバータの出力電圧を変化させずに放電灯からの光出力が所望値になるように第２のコンバータから放電灯への供給電力を低下させるのに先だって、第２のコンバータから放電灯への供給電力を変化させずに第１のコンバータの出力電圧を調光前よりも高く設定することを特徴とする請求項１記載の放電灯点灯装置。
【請求項５】
第１のコンバータおよび第２のコンバータがそれぞれチョッパ回路であることを特徴とする請求項１ないし請求項４のいずれか１項に記載の放電灯点灯装置。
【請求項６】
第１のチョッパ回路が昇圧チョッパ回路であることを特徴とする請求項５記載の放電灯点灯装置。
【請求項７】
第２のチョッパ回路が降圧チョッパ回路であることを特徴とする請求項５または請求項６記載の放電灯点灯装置。
【請求項８】
前記放電灯が高圧放電灯であることを特徴とする請求項１ないし請求項７のいずれか１項に記載の放電灯点灯装置。
【発明の詳細な説明】
【０００１】
【発明の属する技術分野】
本発明は、高圧ナトリウムランプやメタルハライドランプのような高圧放電灯を点灯させる放電灯点灯装置に関するものである。
【０００２】
【従来の技術】
現在、店舗照明、道路照明、工場照明、競技場照明などにおいて、高圧ナトリウムランプやメタルハライドランプのような高圧放電灯が広く使用されている。この種の高圧放電灯を点灯させる放電灯点灯装置としては、図７に示すような構成のものが主として採用されている。
【０００３】
図７に示す回路では、商用電源のような交流電源ＡＣと高圧放電灯であるランプＬａとの間に、安定器としてのチョークコイルＬ１１と、高圧発生用のオートトランスＴ１１との直列回路を挿入してある。交流電源ＡＣが接続される２つの端子ＴＭ１，ＴＭ２の間にはコンデンサＣ１１が接続され、チョークコイルＬ１１とコンデンサＣ１１との直列回路には、２個のコンデンサＣ１２，Ｃ１３の直列回路が並列接続される。また、両コンデンサＣ１２，Ｃ１３の接続点とオートトランスＴ１１の中間タップとの間にはトリガ素子Ｑ１１が挿入される。すなわち、コンデンサＣ１１とチョークコイルＬ１１とからなる安定器回路１０と、コンデンサＣ１２，Ｃ１３とオートトランスＴ１１とトリガ素子Ｑ１１とからなるイグナイタ１１とを備える。
【０００４】
この構成では、交流電源ＡＣを投入すると、トリガ素子Ｑ１１のブレークオーバによりオートトランスＴ１１の１次側（チョークコイルＬ１１側の一端と中間タップとの間の巻線）に電流が流れ、オートトランスＴ１１の両端間に高電圧が発生する。つまり、交流電源ＡＣの電圧にオートトランスＴ１１の両端の高電圧が重畳された形でランプＬａに高電圧が印加され、ランプＬａが始動する。
【０００５】
ところで、トンネル照明などでは夜間には節電のために高圧放電灯を調光点灯させることがある。そこで、高圧放電灯を調光点灯させるために、図８に示す回路構成が考えられている。この構成では安定器回路１０のチョークコイルＬ１１とイグナイタ１１のオートトランスＴ１１との間に調光用チョークＬ１２を挿入し、調光が不要であるときには調光用チョークＬ１２の両端間を短絡することができるようにスイッチ要素としてのリレー接点ＲＹ１を調光用チョークＬ１１に並列接続してある。しかるに、昼間にはリレー接点ＲＹ１をオンにしておけば調光用チョークＬ１２が機能しないから図７に示した回路構成と同様に動作し、一方、夜間にはリレー接点ＲＹ１をオフにすればランプＬａへの給電経路にチョークコイルＬ１１に加えて調光用チョークコイルＬ１２が挿入されることになってランプ電流が制限され、結果的にランプＬａの光出力を全点灯状態（チョークコイルＬ１１のみを挿入した点灯状態であって、一般に定格点灯の状態）よりも低減することができる。
【０００６】
ところで、リレー接点ＲＹ１をオン状態からオフ状態に変化させることによって、全点灯状態から調光状態に急激に変化させると、ランプＬａの印加電圧が全点灯状態よりも高くなる状態が一瞬生じることがある。とくに、全点灯状態における光出力に対して調光状態における光出力の比率を大きくする場合には、このような現象が生じやすいことが知られている。このように、ランプ電圧が全点灯状態よりも急に高くなるとランプ電流が急に減少することで立ち消えを起こす場合がある。
【０００７】
そこで、全点灯状態から調光状態への移行時における立ち消えを抑制するために、点灯装置１の２次電圧（つまり、調光用チョークコイルＬ１２、オートトランスＴ１１、ランプＬａの直列回路に印加する電圧）をあらかじめ高く設定しておくことが考えられている。この種の構成としては、図９に示すように、チョークコイルＬ１１に代えてリーケージトランスＴ１０を用いる構成が考えられている。図９において用いているリーケージトランスＴ１０は、１次側電圧が２００Ｖであるとすれば、２次側電圧を２４０Ｖに昇圧するものであり、巻線のインダクタンスおよびリーケージインダクタンスを用いてランプＬａへの電流を限流する機能を有している。
【０００８】
【発明が解決しようとする課題】
しかしながら、図９に示した構成のように、安定器回路１０においてリーケージトランスＴ１０を用いて昇圧すると、銅損および鉄損が大きくなって回路損失が増加するという問題が生じる。また、リーケージトランスＴ１０は通常のチョークコイルＬ１１よりも大型かつ重量が大きく高価であるから、リーケージトランスＴ１０を採用する構成は、立ち消えの問題を解決する手段として、必ずしも望ましいとは言えないものである。
【０００９】
本発明は上記事由に鑑みて為されたものであり、その目的は、調光可能であって調光状態への移行時にランプの立ち消えが生じにくく、しかもリーケージトランスを用いる場合よりも小型でありかつ低価格である放電灯点灯装置を提供することにある。
【００１０】
【課題を解決するための手段】
請求項１の発明は、交流電源を整流する整流回路と、整流回路の出力電圧を電圧変換するとともに出力電圧が可変である第１のコンバータと、第１のコンバータの出力を電源とし放電灯への供給電力が可変である第２のコンバータと、第１のコンバータの出力電圧および第２のコンバータから放電灯への供給電力を制御する制御回路とからなり、前記制御回路では、放電灯の光出力を所望値まで低下させるように調光する際に、第１のコンバータの出力電圧を変化させずに放電灯からの光出力が所望値になるように第２のコンバータから放電灯への供給電力を低下させた後、放電灯の点灯状態が安定してから、放電灯からの光出力を前記所望値に保つように第１のコンバータの出力電圧を低下させるのに伴って第２のコンバータから放電灯への供給電力を上昇させるものである。
【００１１】
請求項２の発明は、請求項１の発明において、前記第１のコンバータが入力力率を改善する機能を有し、前記制御回路では、第１のコンバータの出力電圧の下限を入力力率が規定の水準以上に維持できる電圧とし、第１のコンバータの出力電圧が前記下限以上である間は第１のコンバータの出力電圧で調光し、第１のコンバータの出力電圧が前記下限になる状態よりも深く調光するときは第２のコンバータから放電灯への供給電力を低下させるものである。
【００１２】
請求項３の発明は、請求項１の発明において、前記制御回路では、調光に際して第１のコンバータの出力電圧を変化させずに放電灯からの光出力が所望値になるように第２のコンバータから放電灯への供給電力を低下させるのに先だって、第２のコンバータから放電灯への供給電力を変化させずに第１のコンバータの出力電圧を調光前よりも高く設定するものである。
【００１３】
請求項４の発明は、請求項１の発明において、前記制御回路では、調光に際して調光の深さが所定値を超えるときには、第１のコンバータの出力電圧を変化させずに放電灯からの光出力が所望値になるように第２のコンバータから放電灯への供給電力を低下させるのに先だって、第２のコンバータから放電灯への供給電力を変化させずに第１のコンバータの出力電圧を調光前よりも高く設定するものである。
【００１４】
請求項５の発明は、請求項１ないし請求項４の発明において、第１のコンバータおよび第２のコンバータがそれぞれチョッパ回路であることを特徴とする。
【００１５】
請求項６の発明は、請求項５の発明において、第１のチョッパ回路が昇圧チョッパ回路であることを特徴とする。
【００１６】
請求項７の発明は、請求項５または請求項６の発明において、第２のチョッパ回路が降圧チョッパ回路であることを特徴とする。
【００１７】
請求項８の発明は、請求項１ないし請求項７の発明において、前記放電灯が高圧放電灯であることを特徴とする。
【００１８】
【発明の実施の形態】
図１に本実施形態の全体構成をブロック図として示す。図７に示した従来構成との主な相違点は、チョークコイルＬ１１、調光用チョークコイルＬ１２、イグナイタ１１を構成するオートトランスＴ１１などに代えて、２個のチョッパ回路１，２を順次接続（カスケード接続）した、いわゆるアクティブツーコンバータ方式であって安定器回路および調光用チョークコイルＬ１２としての機能を実現している点にある。また、ランプＬａを直流点灯させるように構成してある。ただし、本実施形態ではイグナイタ１１の機能については要旨ではないから説明を省略してある。
【００１９】
しかして、本実施形態では商用電源のような交流電源ＡＣに端子ＴＭ１，ＴＭ２を介して整流回路５を接続し、整流回路５から出力される脈流電圧をチョッパ回路１に入力して直流−直流変換する。また、チョッパ回路２はチョッパ回路１の出力を電源とし、高圧放電灯であるランプＬａへの供給電力（供給電流）を制御する限流回路として機能する。つまり、チョッパ回路１によりランプＬａへの印加電圧が制御され、チョッパ回路２によりランプＬａへの供給電流が制御される。両チョッパ回路１，２は制御回路３により出力が制御される。この制御回路３には、端子ＴＭ３，ＴＭ４を通して外部から入力される調光信号（たとえば、パルス列）を制御回路３で受付可能な形式に変換する変換回路４が接続される。チョッパ回路１はランプＬａの点灯状態を維持するのに必要な電圧を出力し、チョッパ回路２はランプＬａに供給する電力を制御する。後述するように、チョッパ回路１，２にはスイッチング素子が設けられ、これらのスイッチング素子は交流電源ＡＣの電源周波数よりも十分に高い周波数でオンオフされるから、スイッチング素子のオンオフで生じる高周波が電源ラインに漏洩しないように、交流電源ＡＣと整流回路５との間には図示していない高周波阻止用のフィルタ回路を設ける。
【００２０】
各チョッパ回路１，２の構成について具体例を示す。本実施形態では、図２のように、チョッパ回路１として昇圧チョッパ回路を採用し、チョッパ回路２として降圧チョッパ回路を採用している。整流回路５はダイオードブリッジからなる全波整流回路であって、チョッパ回路１は、インダクタＬ１とスイッチング素子Ｑ１との直列回路を整流回路５の直流出力端間に接続し、ダイオードＤ１と平滑コンデンサＣ１との直列回路をスイッチング素子Ｑ１の両端間に接続して構成してある。スイッチング素子Ｑ１はドライブ回路６を介して制御回路３によりオンオフされる。ドライブ回路６は制御回路３からの制御信号をＭＯＳＦＥＴからなるスイッチング素子Ｑ１の制御に適した電圧信号に変換するものである。ダイオードＤ１は整流回路５からインダクタＬ１を通して平滑コンデンサＣ１を充電可能な極性に接続されている。つまり、整流回路５の出力に対して順方向に接続されている。
【００２１】
一方、チョッパ回路２は、スイッチング素子Ｑ２とインダクタＬ２とコンデンサＣ３との直列回路を平滑コンデンサＣ１の両端間に接続し、インダクタＬ２とコンデンサＣ３との直列回路にダイオードＤ２を並列接続し、さらにコンデンサＣ３とともにフィルタ回路Ｆを構成するインダクタＬ３を設けた構成を有する。ダイオードＤ２は平滑コンデンサＣ１とスイッチング素子Ｑ２とダイオードＤ２との閉ループにおいて平滑コンデンサＣ１からの放電電流を阻止する極性に接続されている。また、フィルタ回路Ｆを構成するインダクタＬ３はランプＬａとの直列回路がコンデンサＣ３の両端間に接続される形になっている。つまり、フィルタ回路Ｆはローパスフィルタであって、チョッパ回路２からランプＬａへの高周波を阻止するように設けられている。スイッチング素子Ｑ２はＭＯＳＦＥＴからなり、ドライブ回路７を介して制御回路３により制御される。ドライブ回路７は制御回路３からの制御信号をスイッチング素子Ｑ２の制御に適した電圧信号に変換するものである。
【００２２】
しかるに、チョッパ回路１では、スイッチング素子Ｑ１をオンオフさせると、スイッチング素子Ｑ１のオン時にインダクタＬ１に蓄積されたエネルギが、スイッチング素子Ｑ１のオフ時にダイオードＤ１を介して放出され、整流回路５の出力にインダクタＬ１から放出されるエネルギが重畳される形で平滑コンデンサＣ１が充電され、平滑コンデンサＣ１の両端電圧を整流回路５の出力電圧よりも昇圧することができる。また、チョッパ回路２では、スイッチング素子Ｑ２をオンオフさせると、スイッチング素子Ｑ２のオン時にインダクタＬ２およびフィルタ回路Ｆを通してランプＬａに電力を供給し、スイッチング素子Ｑ２のオフ時にはインダクタＬ２およびフィルタ回路Ｆに蓄積されたエネルギをダイオードＤ２を通してランプＬａに放出させる。つまり、スイッチング素子Ｑ２のオンオフでランプＬａへの電流を制御する。なお、スイッチング素子Ｑ１，Ｑ２は、交流電源ＡＣの電源周波数よりも十分に高い周波数でオンオフされる。この種の昇圧チョッパ回路および降圧チョッパ回路の構成および動作は従来より知られているからここでは詳述しない。
【００２３】
上述のように、２段のチョッパ回路１，２を順次接続している場合には、初段のチョッパ回路１の出力電圧を必要な電圧を確保しながらもできるだけ低く設定しているほうが回路損失を低減することができる。すなわち、チョッパ回路２において取り扱う電圧が高くなるとスイッチング損失などが増加するから、チョッパ回路１の出力電圧は低いほうが望ましい。しかしながら、全点灯状態から調光点灯状態に移行させたときには、ランプＬａの両端電圧は一時的に上昇した後、低下する。
【００２４】
そこで、本実施形態では、各チョッパ回路１，２を以下のように制御されるように制御回路３を構成してある。すなわち、図３に示すように、時刻ｔ１まではランプＬａを全点灯状態で点灯させており、時刻ｔ１において全点灯状態に対して５０％に調光するように調光信号が外部から入力されたとする。調光信号は変換回路４を通して制御回路３に入力され、制御回路３ではランプＬａへの供給電力を全点灯状態から５０％に低減するように（つまり、光出力が全点灯状態の５０％になるように）制御を開始する。調光信号が入力された時刻ｔ１の時点では、図３（ａ）のようにチョッパ回路１の出力電圧は変化させることなく、図３（ｂ）のようにチョッパ回路２の出力のみを時間経過に伴って低減させるように制御する。チョッパ回路２の出力を低下させればランプＬａへの供給電力は減少するから、ランプＬａの光出力が低下する。調光信号が入力されてからランプＬａの光出力が５０％に達するまでの時間Ｔ１は、ランプＬａへの印加電圧に変化が生じてランプＬａが過渡的に不安定な状態となる期間よりも長く設定する。こうして時間Ｔ１が経過した後の時刻ｔ２からは、ランプＬａの調光状態を維持しながらもチョッパ回路１の出力電圧を低減するために、チョッパ回路１の出力電圧を時間経過に伴って低下させると同時にチョッパ回路２の出力を時間経過に伴って上昇させる。つまり、チョッパ回路２の出力を低下させてランプＬａが５０％調光された後に、ランプＬａが５０％の調光状態を維持したままで、チョッパ回路１の出力電圧の低下とチョッパ回路２の出力の上昇とを同時に行う。こうして、チョッパ回路１の出力電圧を所望の電圧まで引き下げ、チョッパ回路１の出力電圧が所望電圧に到達した時刻ｔ３以降は両チョッパ回路１の出力電圧およびチョッパ回路２の出力を一定に保つようにする。
【００２５】
チョッパ回路１，２を上述のように制御することによって、ランプＬａを調光状態に移行させる期間であってランプＬａが不安定である期間には、チョッパ回路１の出力電圧を引き下げることなくランプＬａに必要な点灯維持電圧を下げずに調光し、これによってランプＬａの立ち消えを防止することができる。しかも、ランプＬａが安定した後にはチョッパ回路１の出力電圧である点灯維持電圧を引き下げることで、回路全体としての損失を低減することができる。
【００２６】
ところで、調光をより深くする場合、たとえば５０％よりもさらに深い２５％に調光する場合には、図４に示すように制御する。図４において時刻ｔ３までの制御は図３に示した時刻ｔ３までの制御と同様であって、この時点で５０％に調光されているものとする。この時点でチョッパ回路１の出力電圧は全点灯状態のときよりも低下しており、チョッパ回路２の出力は全点灯状態のときの出力電圧程度に設定されている。ここで、時刻ｔ３よりも後の時刻ｔ４において変換回路４に２５％を指示する調光信号が入力されると、チョッパ回路１の出力電圧は変化させずに、チョッパ回路２の出力のみ時間経過に伴って低下させる。この場合にはチョッパ回路２の出力を低下させるのみでランプＬａの光出力を低下させ、ランプＬａの過渡的状態を経過して安定点灯に至る。
【００２７】
調光信号の指示に対してチョッパ回路１の出力電圧を時刻ｔ２のように変化させるか、時刻ｔ４以降のように変化させないようにするかは、チョッパ回路１の能力に応じて設計される。すなわち、図４の時刻ｔ３以降はチョッパ回路１の能力が入力力率を所定水準（この種の照明器具として規格などによって要求されている水準）以上に維持できる限界である場合を示しており、このような場合にはチョッパ回路１の出力電圧を引き下げると入力力率を所定水準に維持できなくなるから、チョッパ回路１の出力電圧を低下させることなくチョッパ回路２の出力のみを低下させてランプＬａを調光する。
【００２８】
以上説明したように、チョッパ回路１の出力電圧を低下させても入力力率を所定水準に維持できる範囲では、調光を開始した直後でランプＬａが不安定である期間には、チョッパ回路２の出力を一時的に引き下げるがチョッパ回路１の出力電圧は維持して点灯維持電圧を確保し、その後はチョッパ回路１の出力電圧を低下させるのに伴ってチョッパ回路２の出力を上昇させて調光状態を維持する。また、入力力率を所定水準に維持できる限界までチョッパ回路１の出力電圧を低下させても調光信号により指示された深さまで調光できない場合には、チョッパ回路１の出力電圧を引き下げるとともに、チョッパ回路２の出力も低下させて所望の深さまで調光するのである。
【００２９】
このような動作によって、調光直後でのランプＬａが不安定な状態では放電灯Ｌａに必要な点灯維持電圧を下げずに調光することで立ち消えを防止するとともに、入力力率を所定水準以上に保つことができ、ランプＬａが安定に点灯している状態で点灯維持電圧を引き下げて調光点灯させることにより、回路損失を少なくすることができるのである。
【００３０】
調光をより深くする場合の制御として、図５に示す制御を採用してもよい。図５においても図４で示した例と同様に、５０％に調光されている状態から２５％に調光する場合を例として説明する。つまり、時刻ｔ４以前の動作は図４に示した動作と同様であって、チョッパ回路１の出力電圧は全点灯状態における電圧よりも低下しており、チョッパ回路２の出力は全点灯状態における電圧程度に設定されているものとする。時刻ｔ４において２５％に調光するように変換回路４に調光信号が入力されると、制御回路３ではチョッパ回路１の出力電圧を上昇させるように制御する。このときチョッパ回路２の出力は変化させない。このようにチョッパ回路１の出力電圧を上昇させることでランプＬａは不安定になるが、電圧を上昇させてランプＬａに高電圧を印加することができるからランプＬａが立ち消えすることはない。その後、時刻ｔ５になるとチョッパ回路２の出力を時間経過に伴って低下させてランプＬａの光出力を調光し、ランプＬａの光出力が２５％に到達すると、時刻ｔ６からはランプＬａの光出力を一定に保つようにして、チョッパ回路１の出力電圧を低下させるのに伴ってチョッパ回路２の出力を上昇させる。こうして、チョッパ回路１の出力電圧およびチョッパ回路２の出力が目標値に達すると、その出力電圧を維持してランプＬａの光出力を全点灯状態に対して２５％に維持する。
【００３１】
チョッパ回路１の出力電圧およびチョッパ回路２の出力を図５に示すように制御すれば、ランプＬａの点灯維持電圧を一時的に上昇させるからランプＬａの立ち消えが確実に防止され、しかもランプＬａが安定した状態ではチョッパ回路１の出力電圧である点灯維持電圧を引き下げるから、回路損失を少なくすることができる。
【００３２】
上述した構成例では、チョッパ回路１として昇圧チョッパ回路を用い、チョッパ回路２として降圧チョッパ回路を用いているが、各チョッパ回路１，２の構成についてはとくに制限はなく、チョッパ回路１は交流電源ＡＣからの入力力率を所定の水準以上に保つことが可能であって出力電圧が可変であればどのような回路でもよく、チョッパ回路２も出力が可変であればどのような回路でもよい。たとえば、図６に示すように、入力力率を高力率に維持するためにチョッパ回路１には昇圧チョッパ回路を用いるとしても、チョッパ回路２には降圧チョッパ回路以外の他のチョッパ回路（昇圧チョッパ回路や極性反転チョッパ回路など）を用いることができる。あるいはまた、チョッパ回路１についても他のチョッパ回路を用いるようにしてもよい。さらにまた、チョッパ回路１，２に代えてフライバック型などのＤＣ−ＤＣコンバータを用いることも可能である。
【００３３】
【発明の効果】
請求項１の発明は、交流電源を整流する整流回路と、整流回路の出力電圧を電圧変換するとともに出力電圧が可変である第１のコンバータと、第１のコンバータの出力を電源とし放電灯への供給電力が可変である第２のコンバータと、第１のコンバータの出力電圧および第２のコンバータから放電灯への供給電力を制御する制御回路とからなり、前記制御回路では、放電灯の光出力を所望値まで低下させるように調光する際に、第１のコンバータの出力電圧を変化させずに放電灯からの光出力が所望値になるように第２のコンバータから放電灯への供給電力を低下させた後、放電灯の点灯状態が安定してから、放電灯からの光出力を前記所望値に保つように第１のコンバータの出力電圧を低下させるのに伴って第２のコンバータから放電灯への供給電力を上昇させるものであり、調光開始直後においては放電灯への印加電圧を変化させず、高い電圧に維持することによって立ち消えを防止することができ、しかも放電灯の不安定期間が経過した後には第１のコンバータの出力電圧を引き下げることによって回路損失を少なくすることができる。
【００３４】
請求項２の発明は、請求項１の発明において、前記第１のコンバータが入力力率を改善する機能を有し、前記制御回路では、第１のコンバータの出力電圧の下限を入力力率が規定の水準以上に維持できる電圧とし、第１のコンバータの出力電圧が前記下限以上である間は第１のコンバータの出力電圧で調光し、第１のコンバータの出力電圧が前記下限になる状態よりも深く調光するときは第２のコンバータから放電灯への供給電力を低下させるものであり、第１のコンバータによって入力力率を維持しながらも、第２のコンバータから放電灯への供給電力を制御することによって、深い調光が可能になる。
【００３５】
請求項３の発明は、請求項１の発明において、前記制御回路では、調光に際して第１のコンバータの出力電圧を変化させずに放電灯からの光出力が所望値になるように第２のコンバータから放電灯への供給電力を低下させるのに先だって、第２のコンバータから放電灯への供給電力を変化させずに第１のコンバータの出力電圧を調光前よりも高く設定するものであり、調光開始直後に第１のコンバータの出力電圧を一時的に高くするから、調光開始直後における放電灯の立ち消えを確実に防止することができる。
【００３６】
請求項４の発明は、請求項１の発明において、前記制御回路では、調光に際して調光の深さが所定値を超えるときには、第１のコンバータの出力電圧を変化させずに放電灯からの光出力が所望値になるように第２のコンバータから放電灯への供給電力を低下させるのに先だって、第２のコンバータから放電灯への供給電力を変化させずに第１のコンバータの出力電圧を調光前よりも高く設定するものであり、調光開始直後に第１のコンバータの出力電圧を一時的に高くするから、調光開始直後における放電灯の立ち消えを確実に防止することができる。
【図面の簡単な説明】
【図１】本発明の実施の形態を示すブロック図である。
【図２】同上の回路図である。
【図３】同上の動作説明図である。
【図４】同上において調光を深くしたときの動作説明図である。
【図５】同上において調光を深くしたときの他の動作の動作説明図である。
【図６】同上の回路図である。
【図７】従来例を示す図である。
【図８】他の従来例を示す回路図である。
【図９】さらに他の従来例を示す回路図である。
【符号の説明】
１  チョッパ回路
２  チョッパ回路
３  制御回路
５  整流回路
ＡＣ  交流電源
Ｌａ  ランプ
【図１】
0004239356.tif 000002
【図２】
0004239356.tif 000003
【図３】
0004239356.tif 000004
【図４】
0004239356.tif 000005
【図５】
0004239356.tif 000006
【図６】
0004239356.tif 000007
【図７】
0004239356.tif 000008
【図８】
0004239356.tif 000009
【図９】
0004239356.tif 000010